(57)【特許請求の範囲】
【請求項１】
底部ラベル（２）及び巻きラベル（３）を備えた射出成形された部品を製造するために、射出成型型（４）の中に前記底部ラベル（２）及び前記巻きラベル（３）を移動する方法であって、
前記底部ラベル（２）はインサートダイ（１）の端面（１０）に配置され、前記巻きラベル（３）は前記インサートダイ（１）の側面（１１）に配置され、前記底部ラベル（２）及び前記巻きラベル（３）の両方が設けられた前記インサートダイ（１）は、成形型（４）の鋳型キャビティの中に導入され、その後に前記底部ラベル（２）が前記成形型（４）の前記鋳型キャビティの底部（４ａ）上に置かれ、前記巻きラベル（３）が前記成形型（４）の前記鋳型キャビティの側面（４ｂ）に置かれて、前記底部ラベル（２）及び前記巻きラベル（３）をプラスティック材料でバックモールドする方法において、
以下のステップ：
‐前記インサートダイ（１）を提供するステップであって、前記インサートダイ（１）の前記端面（１０）が中央部分（１０ａ）と、該中央部分（１０ａ）に半径方向外側で接する周囲部分（１０ｂ）と、を有し、前記中央部分（１０ａ）は、前記インサートダイ（１）の断面が、少なくとも前記インサートダイ（１）の端面（１０）の前記周囲部分（１０ｂ）において、前記インサートダイ（１）の自由端の方向において狭まるように、前記インサートダイ（１）の軸方向において、前記周囲部分（１０ｂ）よりも前記インサートダイ（１）の自由端の方向にさらに突出する、ステップ；
‐前記底部ラベル（２）を、インサートダイ（１）の端面（１０）の前記中央部分（１０ａ）及び前記周囲部分（１０ｂ）の両方に適用し、前記巻きラベルを、該巻きラベル（３）が、前記インサートダイ（１）の前記側面（１１）の、前記インサートダイ（１）の端面（１０）に面する端部を越えて前記インサートダイ（１）の自由端の方向に突出するように、前記インサートダイ（１）の側面（１１）に適用するステップ；
‐前記底部ラベル（２）及び前記巻きラベル（３）を備えた前記インサートダイ（１）を、前記成形型（４）の前記鋳型キャビティの中に導入するステップ；
‐前記巻きラベル（３）を前記インサートダイ（１）の前記側面（１１）から取り外し、少なくとも前記巻きラベル（３）を前記成形型（４）の前記鋳型キャビティの前記側面（４ｂ）に適用するステップ；
‐前記底部ラベル（２）を前記インサートダイ（１）の前記端面（１０）から取り外し、前記底部ラベル（２）を前記成形型（４）の前記鋳型キャビティの底部（４ａ）に適用するステップであって、前記底部ラベル（２）の周辺領域（２ａ）が、前記インサートダイ（１）の前記端面（１０）の前記周囲部分（１０ｂ）から前記成形型（４）の前記鋳型キャビティの前記底部（４ａ）上へと下へ折り曲げられ、それによって前記底部ラベル（２）が前記巻きラベル（３）の、前記底部ラベル（２）に面する前記端部（３ａ）に内部で重なる、ステップ；及び
‐前記インサートダイ（１）を前記成形型（４）の前記鋳型キャビティから引き抜くステップ
によって特徴づけられる、方法。
【請求項２】
前記巻きラベル（３）は、前記巻きラベル（３）が、前記インサートダイの側面（１１）を越えて前記インサートダイ（１）の自由端の方向に、所定の距離（Ｌ）だけ突出するように、前記インサートダイ（１）の前記側面（１１）に適用され、前記所定の距離（Ｌ）は、前記インサートダイ（１）の前記自由端の方向に、軸方向において最も遠くへ突出する前記インサートダイ（１）の前記端面（１０）の前記中央部分（１０ａ）と、前記インサートダイ（１）の前記端面（１０）の前記周囲部分（１０ｂ）の外周縁（１０ｃ）と、の間の軸方向オフセット（Ｖ）に少なくとも対応するか、又は前記軸方向オフセット（Ｖ）を少なくともわずかに超えることを特徴とする請求項１に記載の方法。
【請求項３】
前記底部ラベル（２）は、前記インサートダイ（１）の、前記周囲部分（１０ｂ）を含む端面（１０）全体に実質的に適用されることを特徴とする請求項１又は２に記載の方法。
【請求項４】
‐前記底部ラベル（２）を前記インサートダイ（１）の前記端面（１０）に適用するために、前記底部ラベル（２）が前記インサートダイ（１）の前記端面（１０）の少なくとも前記周囲部分（１０ｂ）上に吸引される；及び／又は
‐前記巻きラベル（３）を前記インサートダイ（１）の前記側面（１１）に適用するために、前記巻きラベル（３）が前記インサートダイ（１）の前記側面（１１）上に吸引されることを特徴とする請求項１〜３のいずれか一項に記載の方法。
【請求項５】
前記底部ラベル（２）を前記インサートダイ（１）の前記端面（１０）に適用するために、前記底部ラベル（２）が、前記インサートダイ（１）の前記端面（１０）の前記周囲部分（１０ｂ）上及び前記中央部分（１０ａ）上の両方に、吸引される請求項４に記載の方法。
【請求項６】
‐前記底部ラベル（２）を前記成形型（４）の前記鋳型キャビティの前記底部（４ａ）上に置くとともに、前記底部ラベル（２）の周辺領域（２ａ）を前記インサートダイ（１）の前記端面（１０）の前記周囲部分（１０ｂ）から前記鋳型キャビティの前記底部（４ａ）上へと下へ折り曲げるために、吸引圧力が中断されるか、又は前記底部ラベル（２）が前記インサートダイ（１）の前記端面（１０）の少なくとも前記周囲部分（１０ｂ）上で正圧に暴露される；及び／又は
−前記巻きラベル（３）を前記成形型（４）の前記鋳型キャビティの前記側面（４ｂ）上に置くために、前記吸引圧力が中断されるか、又は前記巻きラベル（３）がさらに正圧に暴露されることを特徴とする請求項４又は５に記載の方法。
【請求項７】
前記底部ラベル（２）を前記成形型（４）の前記鋳型キャビティの前記底部（４ａ）上に置くとともに、前記底部ラベル（２）の周辺領域（２ａ）を前記インサートダイ（１）の前記端面（１０）の前記周囲部分（１０ｂ）から前記鋳型キャビティの前記底部（４ａ）上へと下へ折り曲げるために、吸引圧力が中断されるか、又は前記底部ラベル（２）が、前記インサートダイ（１）の前記端面（１０）の前記周囲部分（１０ｂ）上及び前記中央部分（１０ａ）上の両方で正圧に暴露される請求項６に記載の方法。
【請求項８】
前記底部ラベル（２）を前記成形型（４）の前記鋳型キャビティの前記底部（４ａ）上に置くとともに、前記底部ラベル（２）の周辺領域（２ａ）を前記インサートダイ（１）の前記端面（１０）の前記周囲部分（１０ｂ）から前記鋳型キャビティの前記底部（４ａ）上へと下へ折り曲げるため、及び／又は、前記巻きラベル（３）を前記成形型の前記鋳型キャビティの前記側面（４ｂ）上に置くために、前記底部ラベル（２）及び／又は前記巻きラベル（３）が、前記成形型（４）の前記鋳型キャビティの壁に吸引されるか、又は前記成形型の前記鋳型キャビティの壁に静電的に引き付けられることを特徴とする請求項１〜７のいずれか一項に記載の方法。
【請求項９】
少なくとも１つの底部ラベル（２）が、柔軟な弾性材料からなることを特徴とする請求項１〜８のいずれか一項に記載の方法。
【請求項１０】
底部ラベル（２）及び巻きラベル（３）の両方が、柔軟な弾性材料からなる請求項９に記載の方法。
【請求項１１】
底部ラベル（２）及び巻きラベル（３）を備えた射出成形された部品を製造するための、底部（４ａ）及び側面（４ｂ）、並びに成形型（４）の鋳型キャビティの中に導入することができるインサートダイ（１）を有する装置であって、
前記インサートダイは、前記底部ラベル（２）を前記インサートダイに適用するのに好適な端面（１０）と、前記巻きラベル（３）を前記インサートダイに適用するのに好適な側面（１１）と、を有する、請求項１〜１０のいずれか一項に記載の方法を実行するための装置において、
前記インサートダイ（１）の前記端面は、中央部分（１０ａ）と、該中央部分（１０ａ）に半径方向外側で接する周囲部分（１０ｂ）と、を有し、前記中央部分（１０ａ）は、前記インサートダイ（１）の軸方向において、前記インサートダイ（１）の自由端の方向にさらに突出し、それによって前記インサートダイ（１）の断面が、少なくとも前記インサートダイ（１）の前記端面（１０）の前記周囲部分（１０ｂ）において、前記インサートダイ（１）の前記自由端の方向に狭められていることを特徴とする装置。
【請求項１２】
前記成形型（４）の前記鋳型キャビティの前記底部（４ａ）は、実質的に平坦な延長部を有するか、又は略トラフの形状に作られた前記底部の部分であり、中央領域から周面に斜め上方に延びる周囲領域を有するが、前記鋳型キャビティ（４）の前記底部（４ａ）の中央領域の最も低い点と、前記底部の前記周囲領域の外周縁と、の間の軸方向距離は、前記インサートダイ（１）の前記自由端の方向において、前記軸方向に最も遠く突出する前記インサートダイ（１）の前記端面（１０）の前記中央部分（１０ａ）と、前記インサートダイ（１）の前記端面（１０）の前記周囲部分（１０ｂ）の前記外周縁（１０ｃ）と、の間の軸方向オフセット（Ｖ）よりも小さいことを特徴とする請求項１１に記載の装置。
【請求項１３】
前記成形型（４）の前記鋳型キャビティの前記側面（４ｂ）と、その底面（４ａ）と、の間の交差部（４ｃ）は丸みを帯びていることを特徴とする請求項１１又は１２に記載の装置。
【請求項１４】
前記丸みは、少なくとも１ｍｍの半径を有する請求項１３に記載の装置。
【請求項１５】
前記丸みは、少なくとも２ｍｍの半径を有する請求項１４に記載の装置。
【請求項１６】
前記インサートダイ（１）は、前記端面（１０）の前記周囲部分（１０ｂ）の中への前記端面（１０）の前記中央部分（１０ａ）の緩やかな交差を有する実質的に凸状の湾曲した端面（１０）を有することを特徴とする請求項１１〜１３のいずれか一項に記載の装置。
【請求項１７】
前記インサートダイ（１０）の前記端面（１０）の前記中央部分（１０ａ）は、実質的に平坦な形状であり、前記インサートダイ（１０）の前記端面（１０）の前記中央部分（１０ａ）に半径方向外側で接する前記周囲部分（１０ｂ）は、実質的に円錐形状に狭くなるか、又は凸状に湾曲することを特徴とする請求項１１〜１６のいずれか一項に記載の装置。
【請求項１８】
‐前記インサートダイ（１）の前記端面（１０）の少なくとも前記周囲部分（１０ｂ）、及び／又は
‐前記インサートダイ（１）の側面（１１）には、負圧発生器に接続することができる吸引開口部（１３、１２）が設けられていることを特徴とする請求項１１〜１７のいずれか一項に記載の装置。
【請求項１９】
前記インサートダイ（１）の前記端面（１０）の前記周囲部分（１０ｂ）及び前記中央部分（１０ａ）の両方には、負圧発生器に接続することができる吸引開口部（１３、１２）が設けられている請求項１８に記載の装置。
【請求項２０】
前記負圧発生器によって発生した負圧は、スイッチで作動させるか、停止させることができることを特徴とする請求項１８又は１９に記載の装置。
【請求項２１】
前記負圧発生器は、同様にスイッチで作動させるか、停止させることができる正圧を発生させるように設計されている請求項２０に記載の装置。
【請求項２２】
少なくともいくつかの吸引開口部（１３）は、外側の半径方向延長要素を有して、前記インサートダイ（１）の前記端面（１０）の前記中央部分（１０ａ）から前記インサートダイ（１）の前記端面（１０）の前記周囲部分（１０ｂ）の少なくとも一部に亘って、実質的にスロット形状で延在することを特徴とする請求項１８〜２１のいずれか一項に記載の装置。
【発明の詳細な説明】
【技術分野】
【０００１】
本発明は、底部ラベル及び巻きラベルを、射出成形された、特に容器の形の底部ラベル及び巻きラベルを備える部品を製造するための射出成形型の中に移動する方法に関し、底部ラベルはインサートダイの端面に配置され、巻きラベルはインサートダイの側面に配置され、底部ラベル及び巻きラベルの両方を備えるインサートダイは、成形型の鋳型キャビティの中に導入され、その後、底部ラベルは成形鋳型の鋳型キャビティの底部に置かれ、巻きラベルは成形鋳型の鋳型キャビティの側面に置かれて、プラスティック材料でバックモールド（ｂａｃｋ−ｍｏｕｌｄ）される。本発明は、底面及び側面を備える鋳型キャビティ及び成形型の鋳型キャビティの中に導入することができるインサートダイを有し、底部ラベルを適用するのに好適な端面と、巻きラベルを適用するのに好適な側面を有する成形型によって、底部ラベルと巻きラベルとを設けられた、特に容器の形の射出成形された部品を製造するための、そのような方法を行うのに特に好適である装置にさらに関する。
【０００２】
多くの場合、例えば日常の高級な食品及びそのようなものの包装に使用される底部ラベル及び巻きラベルの両方を有する容器のような、射出成型によって製造された成形されたプラスティック部品を提供することが望ましい。巻きラベルは、例えばプラスティックの拡散密度を増加させるようにバリア層の態様で、又は完成した成形された部品に続いてラベルを適用する必要が無いように、包装された品物を特定する印刷された文章のための基体として、供給することができる。このタイプのラベルを設けられた射出成形された部品の製造は、一般的には射出成形型の鋳型キャビティの中にラベルを導入し、その後に、可塑化されたプラスティック材料でバックモールドされる。プラスティック材料が固化した後、ラベルが取り外しできないように接着した、射出成形された部品は成形型から取り出される。そのような方法は、「ＩＭＬ（鋳型内ラベリング（Ｉｎ−Ｍｏｕｌｄ−Ｌａｂｅｌｉｎｇ）法）」とも称される。
【０００３】
特にカップ、椀、又はその種の形状の包装容器による場合に多いように、成形された部品に底部ラベル並びに巻きラベルが設けられる場合には、成形型の鋳型キャビティの中におけるラベルの正確な位置付けが比較的困難であることがわかる。この目的のために、一般的には最初に鋳型キャビティの底に適用されるのは底部ラベルであり、次いで、巻きラベルが成形型の鋳型キャビティの側面に適用され、これは、成形型の鋳型キャビティを補完するように形作られたインサートダイによって行われることが多く、この理由でそれぞれのラベルの正確な位置付けを可能にする。しかし、この方法で、底部ラベル及び巻きラベルを成形型の中に順に挿入するために、それぞれ適切な移動装置によるインサートダイの端面又は側面への、一方で底部ラベルの適用及び他方で巻きラベルの適用に対して、２つのパンチングストローク（ｐｕｎｃｈｉｎｇ  ｓｔｒｏｋｅ）がさらに必要とされるということが、特に不都合であることがわかる。したがって、この方法では、比較的不十分なサイクルタイムしか達成することができない。
【０００４】
同じことが、巻きラベル、及びこの巻きラベルに内部で重なるとともに、重なった領域で接着する底部ラベルを設けられた、射出成形された包装容器を製造するための特許文献１から知られた方法に当てはまる。この製造方法によれば、その長さがそれで表面を覆われる容器の側面の周長より長い平坦な巻きラベルは、まず円筒形に曲げられ、円筒形に曲げられたラベルは、ラベルが成形型の底部上の突出部に接触するように開放された成形型の周面に適用され、容器の周長より長い巻きラベルの長さのために、互いに面するその円筒状の曲げられた側面は互いに重なる。次いで、底部ラベルがダイによって成形型の底部に適用されて、底部ラベルの周囲領域が、底部ラベルに内側で面する巻きラベルの下部に重なり、底部ラベルは、この重なり領域において巻きラベルに接着される。可溶性の熱可塑性プラスティックが次いで成形型の中に注入されて、完成した容器を形成するように底部ラベル及び巻きラベルをバックモールドする。
【０００５】
特許文献２は、底部ラベル及び巻きラベルを設けられた容器の形状の射出成形された部品を製造するための一般的な装置を記載している。この装置は、平坦な端面及び、略円筒形状又はわずかに円錐形状を示す側面を有するインサートダイを備え、これら端面及び側面は、射出成形型の鋳型キャビティに対して相補的に形成されている。インサートダイには、端面上及び側面上の両方に吸引装置が備えられ、この吸引装置は、適切な移動装置によって、インサートダイに、それぞれのマガジンから取り外された底部ラベル及び巻きラベルの両方を同時に備えつけるのに役立つ。このようにして、両方のラベルを成形型の鋳型キャビティの中に移動し、それらを単一のスタンピングストローク（ｓｔａｍｐｉｎｇ  ｓｔｒｏｋｅ）によって適用することを可能にする。しかし、一方で、成形される部品の全面を底部ラベル及び巻きラベルによって覆うことが、遅くともこれらラベルを成形型の鋳型キャビティの中に置くときに、これら２つのラベルが接触する領域において衝突が生じることによって達成できないことは、２つのラベルがそれらの間に隙間が残るように選択されない限り、このタイプの装置の特定の欠点である。しかし、完成した、成形された部品において、この隙間は目立ち、美しくないだけでなく、ラベルのバックモールド中に可塑化されたプラスティック材料に、成形された（後に）部品の外面上へ２つのラベルの間を通過させる場合があり、これがかなりの量の廃棄物を結果的にもたらす。
【０００６】
底部ラベル及び巻きラベルを設けられた包装容器を製造するための同様の方法を、特許文献３から収集することができ、ここでもまた、一方では平坦な巻きラベルは、このラベルで覆われる容器の側面の周長より長い長さを有し、それによって、このラベルが円筒形状に曲げられ、円筒形状に曲げられたラベルが開放された成形型の周面に適用された時に、互いに面するその端部が重なる。他方で、底部ラベルは容器の底部より大きな周囲を有し、それによって底部ラベルは端部において巻きラベルに重なる。底部ラベル及び巻きラベルの射出成形型への導入は、（前述の特許文献１と同様に）成形型に導入することができるとともに負圧がかけられる１つ以上のダイによって順にか、又は（前述の特許文献２と同様に）底部ラベル及び巻きラベルの両方が、１つの同じダイに適用され、同時に成形型の中に移動されるか、のいずれかによって行われ、２つのラベル間の衝突という特許文献２に関連する上述の問題が、これもまた遅くとも２つのラベルを過疎化されたプラスティックでバックモールドされ得るように前記ラベルが成形型の鋳型キャビティの中に置かれるときに生じる。
【０００７】
特許文献４からは、互いに重なり合う２つのラベルが単一のパンチングストロークによって鋳型キャビティ内に置かれることによる前述の問題を克服する底部ラベル及び巻きラベルの、射出成形型の鋳型キャビティ内への挿入のための方法と、この目的のために適切なインサートダイと、を収集することができる。この関連で、特に底部ラベルは、内側の端部において底部ラベルに面する巻きラベルの周縁に重なるように鋳型キャビティの中に配置され、それによって、ラベルによって射出成形された部品の全面を覆うことを可能にするだけでなく、成形型の鋳型キャビティの中に可塑化されたプラスティック材料を注入するときに、まず底部ラベルがバックモールドされ、次いで溶融したプラスティックが底部ラベルを超えて巻きラベルに接触するようになり、それによって巻きラベルもまたバックモールドされることを可能にする。このように、溶融したプラスティックが、成形される部品の外側の見える面上へと、ラベル間を通過することを防止することができる。しかしながら、欠点は、巻きラベルを受け取るための外側ダイ及び底部ラベルを受け取るための内側ダイを有し、内側ダイを外側ダイに対して軸方向に動かすことができるインサートダイの極端な複雑さにある。両方のダイ部分は、成形型の鋳型キャビティに相互補完的な形状を有し、次に内側ダイは底部ラベルを受け取るための平坦な端面を有し、外側ダイは巻きラベルを受け取るための略円筒形又はわずかに円錐形状の側面を有する。さらに、両方のダイ部分には吸入装置が設けられる。底部ラベル及び巻きラベルを備えるインサートダイの挿入は、単一のパンチングストロークによって行われるが、インサートダイを成形型の鋳型キャビティの中に導入した後は、巻きラベルが最初に鋳型キャビティの側面に置かれなければならず、その後、底部ラベルを備える内側ダイが外側ダイの外へ動かされて、底部ラベルが内側で底部ラベルに面する巻きラベルの（下）端部に重なるように、底部ラベルを鋳型キャビティの底部に置く。これは、同様に延長されたサイクルタイムをもたらす。
【先行技術文献】
【特許文献】
【０００８】
【特許文献１】特開２０１２‐０９１８５０号公報
【特許文献２】米国特許出願公開第５０５３１０１号明細書
【特許文献３】特開２０１４‐０４６９７９号公報
【特許文献４】欧州特許第２３３２７１２号明細書
【発明の概要】
【発明が解決しようとする課題】
【０００９】
したがって、本発明の目的は、底部ラベル及び巻きラベルを設けられた、始めに特定されたタイプの射出成形された部品を製造するために、底部ラベル及び巻きラベルを射出成型用鋳型の中に移動する方法、並びに、可能な限り早いサイクルタイムを保証しつつ、前述の欠点を少なくとも部分的に克服することができる、底部ラベル及び巻きラベルを容易かつ安価に設けられた、始めに特定されたタイプの射出成形された部品を製造するためのそのような方法を実施するために特に好適な装置をさらに開発することである。
【００１０】
技術的な観点から、この目的は以下のステップ：  
‐インサートダイを提供するステップであって、このインサートダイの端面は、中央部分と、この中央部分に外側で径方向に接する周囲部分と、を有し、中央部分がインサートダイの軸方向において、インサートダイの自由端の方向に周囲部分よりさらに突出し、それによってインサートダイの断面が、少なくともインサートダイの端面の周囲部分において、インサートダイの自由端の方向に狭められる、ステップと、
‐底部ラベルを、インサートダイの端面の中央部分及び周囲部分の両方に適用し、かつ、巻きラベルが、インサートダイの自由端の方向に、インサートダイの側面のインサートダイの端面に面する端部を超えて突出するように、巻きラベルをインサートダイの側面に適用するステップと、
‐底部ラベル及び巻きラベルを備えるインサートダイを、成形型の鋳型キャビティの中に導入するステップと、
‐インサートダイの側面から巻きラベルを取り外し、この巻きラベルを少なくとも成形型の鋳型キャビティの側面に適用するステップと、
‐インサートダイの端面から底部ラベルを取り外し、この底部ラベルを成形型の鋳型キャビティの底に適用するステップであって、底部ラベルの周辺領域が、インサートダイの端面の周囲部分から成形型の鋳型キャビティの底上へと折り曲げられ、それによって底部ラベルが巻きラベルの底部ラベルに面する端部に内部で重なる、ステップと、
‐インサートダイを、成形型の鋳型キャビティから引き抜くステップと、
を備える、始めに特定されたタイプの方法によって達成される。
【００１１】
始めに特定されたタイプの装置によって本発明に内在する問題を解決するために、本発明はさらに、インサートダイの端面が中央部分と、この中央部分に外側で径方向に接する周囲部分と、を有するように準備され、中央部分はインサートダイの軸方向において、インサートダイの自由端の方向に周囲部分よりさらに突出し、それによってインサートダイの断面が、少なくとも周囲部分において、インサートダイの自由端の方向に狭められる。
【００１２】
本発明の設計は、非常に単純で安価、かつロバストで保守を要しないように設計されたインサートダイによって、底部ラベル及び巻きラベルを成形型の中に、単一のパンチングストロークによって同時に、正確な位置づけを保証しつつ、移動することを可能とし、それによってラベルはプラスティックの成形された部品を形成するようにバックモールドすることができる。インサートダイの端面の中央部分に対して底部ラベルを受け取るインサートダイの端面の周囲面における後方へのオフセットに起因して、少なくとも底部ラベルの周縁は、インサートダイの端面に適用される場合には、上方に向かって形を整えられる（ｒｅｓｈａｐｅｄ）。このように、巻きラベルとの衝突は確実に防止され、巻きラベルは、そのインサートダイの側面に適用されたその部分上にあり、それによって、巻きラベルはインサートダイを越えて、すなわち端面の方向に、インサートダイの自由端に突出する。したがって、底部ラベル及び巻きラベルの両方を設けられたインサートダイを、成形型の鋳型キャビティ中に導入する際には、巻きラベルが、鋳型キャビティの側面の望ましい位置に入り、その低いほうの自由端が成形型の鋳型キャビティの側面に沿って、たぶん鋳型キャビティの底部の周縁まで（巻きラベルの下端がインサートダイの側面を越えてインサートダイの自由端の方向にどの程度遠くまで下方に突出しているかに依存して）下方に通過し、したがって底部ラベルの下に配置され、底部ラベルの周縁は、上方に曲げられ、インサートダイの端面の周囲部分に寄りかかる。ラベルがインサートダイから取り外されると、底部ラベルの周縁は、インサートダイの端面の周囲部分から成形型の鋳型キャビティの底部に向かって下方に折れ曲がり、それによって自動的に鋳型キャビティの内側で巻きラベルの（下方の）周縁に重なり、それによって成形された部品の全面を覆うことを、可塑化されたポリマが鋳型キャビティの中に注入された後に２つのラベル間を通過する場合がある２つのラベル間に形成される隙間無しに、達成することができる。内側での重なりによって（すなわち、完成した成形された部品において、底部ラベルに面する巻きラベルの端部は、底部ラベル上の巻きラベルに面する底部ラベルの端部上に位置する）、溶融プラスティックの、成形型の鋳型キャビティの底部中央領域中への通常の注入中に、可塑化されたポリマが、周辺で互いに対して存在するラベルを越えて、ラベル間を通過することなく、流れることができることをさらに確実にする。
【００１３】
本発明による方法の有利な一実施形態では、巻きラベルがインサートダイの側面をインサートダイの自由端の方向に、少なくとも、インサートダイの自由端の方向に軸方向において最も遠くまで突出しているインサートダイの端面の中央部分と、インサートダイの端面の周囲部分の外周円と、の間の軸方向オフセットに相当する距離だけを越えて、又はこの軸方向オフセットを少なくともわずかに超えて突出するように、巻きラベルがインサートダイの側面に適用されるように規定することができる。このように、成形型の鋳型キャビティの内側における、巻きラベル上に底部ラベルが十分に重なった配置が保証され、重なりの望ましい程度は基本的に、巻きラベルがインサートダイの側面に適用されるときに、巻きラベルがインサートダイの側面を、インサートダイの端面の自由端の方向に越えて突出する突出部によって容易に予め設定される。
【００１４】
底部ラベルは、好ましくは、その周囲部分を含むインサートダイの端面全体に実質的に適用されるべきであり、成形型の鋳型キャビティの中に挿入されたときに、上方に向かって変形され、下降に転ずることができるように、少なくともインサートダイの周囲部分の周縁部の上に適用されなければならない。しかし、底部ラベルがインサートダイの端面全体よりもいくらか小さく、インサートダイの遠ざかっていく周囲区画の部分を越えてしか延在しない場合でさえ、このことは巻きラベルの、インサートダイの側面から端面の方向へのさらなる突出によって、異なる寸法を有するインサートダイを必ずしも使用することなく、相殺することができる。この場合、ラベルの重なり領域は、成形された部品の下側部からその底部の方向へ「移動」する。したがって、単一のインサートダイを、同様の底部ラベル及び巻きラベルのブランクに対して使用することができる。
【００１５】
本発明による装置の成形型の設計に関して、成形型の鋳型キャビティの底部は、特に良好な容器の安定性を提供するために射出成形された容器を製造する場合において通常であるように、例えば実質的に平坦な延長部を有することができる。しかし、代わりに（望ましい限りにおいて）その部品が作られる成形型の鋳型キャビティの底部が、例えばトラフの形状にあり、中央領域から延びる周囲領域を上方に向かって傾斜する周面に有することもまた可能であり、鋳型キャビティの底部の中央領域の最も低い点と、鋳型キャビティの周囲領域の外周縁と、の間の軸方向距離が、インサートダイの自由端の方向における、軸方向に最も遠く突出するインサートダイの端面の中央部分と、インサートダイの端面の周囲部分の外周縁と、の間の軸方向オフセットより小さいことを保証する必要しかなく、それによって、底部ラベルが鋳型キャビティの底部上へ下方へ折れ曲がり、底部ラベルが鋳型キャビティの底部においてインサートダイの端面の周囲部分の周面に置かれるときに周辺において巻きラベルに重なる。言い換えると、成形型の鋳型キャビティの底部の曲率又は円錐度（ｃｏｎｉｃｉｔｙ）は、インサートダイの端面の曲率又は円錐度より小さくなければならない。
【００１６】
さらに、成形型の鋳型キャビティの側面と、成形型の鋳型キャビティの底面との間の交差部が丸みを帯びている場合には、この丸みは、特に少なくとも１ｍｍの、好ましくは少なくとも２ｍｍの半径を有することが有利であるとわかった。このように、巻きラベルを、鋳型キャビティの側面を越えて、成形型の鋳型キャビティの底部の周囲部分の中に、それによって巻きラベルがインサートダイの端面の自由端の方向に突出する側面に適用された望ましい突出部に応じて、底部ラベルに面する巻きラベルのエッジ（インサートダイの側面を越えて突出する）で押すことは容易に可能であり、鋳型キャビティの側面と底部との間の丸みを帯びた交差部に沿って、底部を突き当てること、及び邪魔すること、又は損傷されること無く、形を整えられるか、又は滑らかに曲げることができる。
【００１７】
インサートダイの幾何学的設計に関し、まずその側面は既知の方法で、成形型の鋳型キャビティの側面に対して実質的に相補的に形成することができ、それによって、巻きラベルが置かれるときに、鋳型キャビティ内における巻きラベルの簡単で正確な位置づけを提供する。インサートダイの側面は、基本的には、ここでは実用的にはいずれの形状であってもよく、例えば実質的にシリンダジャケット（円筒形状である必要はない）の形であり、その側面の領域の断面は、円状、楕円形状、多角形状、又はその種の形状とすることができ、特にその端面の方向において少なくともわずかに狭めることができ、それによって従来の態様で完成した、成形された部品の簡単な離型を提供する。
【００１８】
本願によるインサートダイの端面は、中央部分及び、この中央部分に半径方向外側で接する周囲部分を有し、インサートダイの断面が、少なくともインサートダイの端面の周囲部分においてインサートダイの自由端の方向において狭まるように、インサートダイの軸方向において、周囲部分よりもインサートダイの自由端の方向にさらに突出する中央部分は、例えば、実質的に凸に湾曲させることができ、インサートダイの中央部分のインサートダイの周囲部分への滑らかな交差を有する。代わりに、インサートダイの端面の中央領域が、（この点で、例えば、インサートダイが中央領域の中に移動された場合には、成形型の鋳型キャビティの対応する底部部分にほぼ相補的に）実質的に平坦な形状にあり、中央領域に半径方向に外側で接する周囲部分は、実質的に円錐形上に狭まり、又は凸状に湾曲する。言うまでもないが、インサートダイの断面が少なくともその端面の周囲部分において、その自由端の方向に狭まり、それによってインサートダイの端面が周面においてその中央部分に対して遠ざかる別の構成が、想到可能である。
【００１９】
始めに述べた従来技術からそのように既知であるように、本発明による方法の有利な実施形態では、底部ラベルをインサートダイの端面に適用するために、前記底部ラベルがインサートダイの端面の少なくとも周囲部分上に、特にインサートダイの端面の周囲部分上及び中央部分上の両方に吸引されるように、規定することができる。さらに、巻きラベルを、インサートダイの側面に適用するために、前記巻きラベルを、インサートダイの側面上に吸引することができ、それによって、インサートダイは、底部ラベル及び巻きラベルの両方を同時に、確実に、移動できないように搬送し、それによってそれらラベルを成形型の鋳型キャビティの中に置くことができる。
【００２０】
さらに、有利な一実施形態において、底部ラベルを成形型の鋳型キャビティの底部上に置くとともに、底部ラベルの周辺領域をインサートダイの端面の周囲部分から鋳型キャビティの底部上へと下へ折り曲げるために、吸引圧力が連続的でないか、又は、インサートダイの端面の少なくとも周囲部分上、特にインサートダイの端面の周囲部分上及び中央部分上の両方で底部ラベルが正圧に、特にわずかな正圧に暴露されるように規定することができる。それに応じて、巻きラベルを成形型の鋳型キャビティの側面上に置くために、吸引圧力が好ましくは中断されるか、又は巻きラベルがさらに正圧に、特にわずかな正圧に暴露され、それによって、インサートダイからのラベルの問題のない取り外しと、これらラベルの成形型の鋳型キャビティ内の意図された位置に置くことが可能とされる。
【００２１】
上述に特定した実施形態に代えて、又は加えて、底部ラベルを成形型の鋳型キャビティの底部上に置くとともに、底部ラベルの周辺領域をインサートダイの端面の周囲部分から鋳型キャビティの底部上へと下へ折り曲げるため、及び／又は、巻きラベルを成形型の鋳型キャビティの側面上に置くために、底部ラベル及び／又は巻きラベルが、好ましくは成形型の鋳型キャビティの壁に吸引されるか、又は成形型の鋳型キャビティの壁に静電的に引き付けられるように、さらに規定することができる。これは、ラベルのインサートダイから成形型の鋳型キャビティへの誤りのない正確な移動の目的だけでなく、ラベルを正確に所定の位置に、可塑化されたプラスティックを鋳型キャビティ内に注入する間の滑りなしに保持することに関してもまた有利である場合があり、注入中のラベルの、鋳型キャビティを画定する成形型の壁への静電的な引き付けが特に維持され得る。第１の特定された場合において、成形型には、その鋳型チャンバ内へ開口する負圧開口部を設けることができ、上述に特定された場合では、それぞれのラベルは、例えばインサートダイに適用する前、又は特に既にインサートダイに適用した状態で、静電的にチャージすることができ、及び／又は成形型の鋳型キャビティの中で静電的にチャージされ、それによって、電気的なポテンシャルの差の結果として、ラベルは鋳型キャビティを画定する成形型の壁に「接着」する。
【００２２】
したがって、技術的な観点から、有利な実施形態において、
‐インサートダイの端面の少なくとも周囲部分、特にインサートダイの端面の前記周囲部分及び中央部分の両方、及び／又は
‐インサートダイの側面
には、負圧発生器に接続することができる吸引開口部が設けられるように規定することができる。この関連で、例えばインサートダイの端面の吸引開口部又はインサートダイの側面の吸引開口部は、（それぞれ）負圧発生器に接続された、インサートダイの共通の又はそれぞれの吸引チャネルの中に開口することができる。
【００２３】
この関連で、負圧発生器によって発生した負圧は、有利にスイッチで作動させ、又は停止させることができ、それによって、ラベルをインサートダイから問題無く取り外し、取り外されたラベルを成形型の鋳型キャビティの中に置くことができる。さらに、負圧発生器はまた、特に正圧を発生するように設計することができ、この正圧も同様に、スイッチで作動させ、又は停止させることができ、それによってラベルをインサートダイから取り外し、これらラベルを成形型の鋳型キャビティの中に置くことができる。
【００２４】
基本的に、吸引開口部のいずれの幾何学的構成も可能であるが、少なくともいくつかの吸引開口部が、外側に半径方向の延長要素を有して、インサートダイの端面の中央部分からインサートダイの端面の周囲部分の少なくとも一部に亘って、実質的にスロット形状で延在し、それによって、底部ラベルがインサートダイの端面に適用され、両方のラベルが成形型の鋳型キャビティの中に移動させられた場合に、底部ラベルの周囲領域が、インサートダイの頂部に向かう端面の周囲部分に対して正しく位置するならば有利であることが理解できる。
【００２５】
さらに、柔軟な弾性材料からなる、少なくとも１つの底部ラベル、特に底部ラベル及び巻きラベルの両方が使用されると有利とすることができる。この構成は、底部ラベルに対して特に有利である場合があり、底部ラベルの周面の周辺領域は、その弾性復元力によって、底部ラベルがインサートダイの端面から取り外された場合に、成形型の鋳型キャビティの底部の方向にほぼ平坦な延長部へと、弾性変形によって以前は上方に曲がっていた底部ラベルの周囲部分上に自動的に下方に向かって折れ曲がり、成形型の鋳型キャビティの中に置かれる。
【００２６】
本発明のさらなる特徴及び利点は、図面を参照した例示の実施形態の以下の説明から明らかとなる。
【図面の簡単な説明】
【００２７】
【図１】本発明によるインサートダイの位置実施形態の側面図である。
【図２】図１によるインサートダイの図１における下端面から見た平面図である。
【図３】図２の断面Ａ‐Ａに沿った、図１及び２によるインサートダイの断面図である。
【図４】底部ラベルと巻きラベルとを設けられた、端面と側面との交差の領域における図１〜３によるインサートダイの詳細図である。
【図５】インサートダイが成形型の鋳型キャビティの中に導入された後の、図４に対応するインサートダイの詳細図である。
【図６】底部ラベルと巻きラベルとを、周囲で互いに重なるように、成形型の鋳型キャビティの中に置いた直後の、図４及び図５のいずれかによるインサートダイの詳細図である。
【図７】インサートダイが成形型から取り出され、その鋳型キャビティの中に置かれた底部ラベル及び巻きラベルが鋳型コアを介して注入された可塑化したプラスティック材料でバックモールドされた後の図５による成形型の詳細図である。
【発明を実施するための形態】
【００２８】
図１〜３には、カップのような容器の形状の、底部ラベル２（図４〜７参照）及び巻きラベル３（これもまた図４〜７参照）を設けられた射出成形された部品を製造するための、本発明による装置のインサートダイの全体として参照符号１を付された一実施形態の図が示されている。「鋳型内ラベル付け」法に従って作用する装置はさらに、図１〜３には示されていない成形型４（これもまた図４〜７参照）、この成形型４に割り当てられた射出成型機、底部ラベル２及び巻きラベル３（図４〜７参照）の貯蔵のためのケースそれぞれの中のマガジン、及びラベル２、３をそれぞれのマガジンからインサートダイ１へ移動させるための適切な移動装置をさらに備える。射出成型機、マガジン、及び移動装置は図には示されておらず、さらなる詳解を必要としないという理由で、従来技術に従って形成される。この装置がまた、例えば多数の成形型４及び多数のインサートダイ１を備えることができ、これらインサートダイ１を成形型４に挿入することができ、例えば同調して駆動させて、底部ラベル２及び巻きラベル３を同時に設けられた成形された部品を製造することができる。
【００２９】
図１〜３からわかるように、インサートダイ１は底部ラベル２（図４〜７参照）の適用のために設けられた端面１０及び巻きラベル３（図４〜７参照）の適用のために設けられた側面１１を有する。インサートダイ１の端面１０は、中央部分１０ａと、この中央部分１０ａに外側において径方向に隣接する周囲部分１０ｂと、を有し、中央部分１０ａは、インサートダイ１の断面が（図１及び３における下方に向かって）その端面１０の周囲部分１０ｂにおける自由端の方向に狭まるように、中央部分１０ａに対して遠ざかる周囲部分１０ｂよりも、中央部分の軸方向において、インサートダイ１の自由端の方向に（図１及び３における下方に向かって）さらに突出する。本願の例示の実施形態において、インサートダイ１の端面１０の中央部分１０ａは、例えば、実質的に平坦な形状にあり、インサートダイ１の長手方向軸Ａに垂直に伸び、それによって、中央部分１０ａは、成形型４（図４〜７参照）の鋳型キャビティの、（ここでもまた略平坦である）底部４ａを略補完するように形成される。しかし、インサートダイ１の端面１０の周囲部分１０ｂは、略円錐状に狭くなっており、それは実際には、例えば（図示されていない）凸状に湾曲するようないくつかの別の方法で形成されることも基本的には可能である。中央部分１０ａと、長手方向軸Ａに交差するとともに周囲部分１０ｂに平行に伸びる直線との間の角度αは、この場合には例えば約１０°〜約２０°、例えば約１５°である（図１参照）。全体的に見て、周囲部分１０ｂは好ましくはインサートダイ１０の端面の少なくとも２０％に亘って、好ましくは少なくとも３０％に亘って、特に約４０％を超えて、例えば約７０％にまで亘って延在する（特に図２参照）。この例示的な実施形態において、インサートダイ１の側面１１は略円筒形状からわずかに円錐形の形状であり、特に、わずかに円錐形状に延在する成形型４の側面４ｂを補完するように形成することができる（図４〜７参照）。
【００３０】
さらに、図１〜３からわかるように、インサートダイ１の側面１１には複数の吸引開口部１２が備えられ、これら吸引開口部１２は、例えばスロット又は長円形の穴の形で側面１１の周囲の周りに延在し（図１参照）、巻きラベル３を吸引する役割を果たす（図４〜７参照）。さらに、インサートダイの端面１０には複数の吸引開口部１３が備えられ、これら吸引開口部は、インサートダイ１の端面の中央部分１０ａと、特に周囲部分１０ｂの全体に亘って延在し（特に図２及び３参照）、底部ラベル２を吸引する役割を果たす。（図４〜７参照）。図面によって再現された例示の実施形態では、吸引開口部１３はインサートダイ１の端面１０の略径方向に、その中央部分１０ａと、周囲部分１０ｂと、の両方に亘って延在して、底部ラベルを折り曲げるか、折り返すことによってインサートダイ１の端面１０の周囲部分１０ｂへのその周囲領域全体に、可能な限り底部ラベル１０ａを適用し、このようにして、巻きラベルがインサートダイ１に適用された場合に、インサートダイ１の側面１１に適用された巻きラベル３との衝突を防止する。図２及び図３から明白であるように、吸引開口部１２、１３は、インサートダイ１内に伸びる供給チャネル１４によって流体的に接続され、この供給チャネルは、負圧発生器（図示されず）を接続することができる外側端部１６への、例えば１つ以上の共通の供給チャネル１５内に開口する（図３参照）。供給チャネル１５又はこの供給チャネル１５を負圧発生器に接続するライン（図示されず）は、有利に制御弁を備えて（同様に図示されず）、（ラベル２、３がインサートダイ１に適用される場合には）吸引開口部１２、１３を任意に負圧に暴露するか、又は（ラベル２、３が成形型４の鋳型キャビティ内に置かれる場合には）暴露しない。
【００３１】
さらに、負圧発生器は、例えば任意に少なくともわずかな正圧を発生するように設計することもでき、それによってラベル２、３が成形型４の鋳型キャビティの中に置かれているときに、ラベル２、３の取り外しを容易にすることができる。
【００３２】
以下に、図１〜３によるインサートダイによって底部ラベル２及び巻きラベル３の両方を、射出成型の態様で形成された成形型４の中に移動して、ラベル２、３の両方を備える、射出成形された、この場合では例えばカップ形状の容器の形状の部品を製造するための本発明による方法の一実施形態が、図４〜７を参照してより詳細に説明される。インサートダイ１の構成要素には、図４〜７において同じ参照符号が付され、以下に再度説明されることはない。図４〜７は実際の縮尺どおりではなく、特に底部ラベル２及び巻きラベル３は、より良い図示の目的のために実際より一般的に大きく示されていることを指摘しておく。
【００３３】
図４は、底部ラベル２及び巻きラベル３の両方が、例えば（図示されない）適切な操作装置によって（これもまた図示されていない）それぞれのマガジンから取り出され、インサートダイ１の端面１０及び側面１１の面の上に吸引開口部１２、１３によって吸引されることによって、インサートダイ１に適用された後の状態を示す。図４からわかるように、ここでは底部ラベル２はインサートダイ１の実質的に端面１０全体に、すなわちその中央部分１０ａ及びそれぞれ遠ざかっていく周囲部分１０ｂの両方に適用されており、底部ラベル２の周辺領域２ａは、図４において上方に曲げられて、それによって底部ラベル２はインサートダイ１の周囲部分１０ｂに実質的に寄りかかっている。実際に、吸引は、インサートダイ１の端面１０の中央部分１０ａに寄りかかっている底部ラベル２の中央領域２ｂにもまた適用されている。巻きラベル３は、ラベル３のインサートダイ１の端面１０の方向又はその（下方の）自由端の方向を指す図４における下方の自由端３ａがインサートダイ１の側面１１を超えて突出するように、インサートダイ１の側面１１に適用される。結果として、底部ラベル２の巻きラベル３との衝突が確実に回避される。巻きラベル３がインサートダイ１の側面１１から（下方に）突出する、又は側面１１を超えて突出する距離Ｌは、インサートダイ１の自由端の方向において、軸方向に（すなわち図１における鉛直方向に）最も遠くまで突出しているインサートダイ１の端面１０の中央部分１０ａと、インサートダイ１の側面１１がインサートダイ１の端面１０の周囲部分１０ｂにおいて隣接するインサートダイ１の端面１０の周囲部分１０ｂの外側周縁１０ｃと、の間の軸方向オフセットＶに少なくとも相当するか又は好ましくはこのオフセットよりもやや大きい。
【００３４】
図５は、図４による底部ラベル２及び巻きラベル３を設けられたインサートダイが、成形型４の鋳型キャビティの中に導入され、ラベル２、３が鋳型チャンバの中に置かれる最終的な位置に到達したが、吸引開口部１２、１３を介して作用する負圧を維持することによってインサートダイ１の端面１０又は側面１１に依然として保持（だけ）されている状態を示す。図５からわかるように、底部ラベル２の中央領域２ｂは、成形型４の鋳型キャビティの底部４ａに実質的に寄りかかっており、一方でその上方に曲げられた周辺領域２ａは、（依然として）インサートダイの端面１０の遠ざかっていく周囲部分１０ｂに寄りかかっている。巻きラベル３は同様に、成形型４の鋳型キャビティの側面４ａに実質的に接触しており、図５において底部４ａに面する巻きラベル３の下端部３ａは少なくとも、側面４ｂの成形型４の鋳型キャビティの底部４ａ中への交差領域の中に、又は（前もってセットされた望ましい突出部に依存して、）例えばインサートダイ１の側面１１を超えるその突出部のために、少なくとも底部４ａの外側周囲領域の中にも突出する。その自由端３ａは、ここでは側面４ｂの、成形型の鋳型キャビティの底部４ａの中への交差部分４ｃに従って内側に曲がることができ、この理由で、この交差部分４Ｃは好ましくは、ほぼ一貫して延在し、特に丸みを帯びることができ、例えば好ましくは約１ｍｍ〜約５ｍｍの半径を形成する。
【００３５】
図６は、底部ラベル２及び巻きラベル３がインサートダイ１から取り外され、成形型４の鋳型キャビティ内にちょうど置かれた状態を示し、これは、例えば制御弁を閉止し、結果として負圧又は吸引を中断することによって、負圧発生器から隔てられた吸引チャネル１２、１３によって、順に又は特に同時に行うことができる。図６からわかるように、底部ラベル２の周辺領域２ａはここで、インサートダイ１の端面１０の周囲部分１０ｂ（図４及び５参照）から、成形型４の鋳型キャビティの底部４ａ（図６における下方）上へと下へ折れ曲がり、それによって底部ラベルの周辺領域は、底部ラベルに内側で面する巻きラベル３の端部に重なり、結果として巻きラベル３の図６における下端部３ａは、成形型４と、底部ラベル２の外側端部部分と、の間に位置し、それによって完成した成形された部品における底部ラベル２と巻きラベル３との間の隙間の形成が確実に回避される。巻きラベル２の少なくとも端部３ａに重なるためのような、底部ラベル２の周辺領域２ａの、インサートダイ１の端面１０の遠ざかっていく周囲部分１０ｂからの、成形型４の鋳型キャビティの底部４ａ上への下への折れ曲がりは、ここで純粋に底部ラベル２の材料の弾性復元力の結果としての略平坦な延長部において生じる場合があり、この理由で、底部ラベル２（及び、任意に巻きラベル３もまた）は、好ましくは柔軟な弾性材料から、例えば成形型４の中に注入される可塑化されたプラスティック材料の融点より高い融点を有する印刷可能なプラスティックフィルムから製造される（これに関しては、図７を参照する後述を参照のこと）。
【００３６】
しかし、代替的に、又は特にさらに、この目的のために、成形型４はその部分に鋳型キャビティに開口する複数の負圧開口部を有して準備することができ、これら負圧開口部は図的にのみ、図５〜７に参照符号５によって示されているだけであり、これら負圧開口部のうちの少なくともいくつかは、インサートダイが成形型４の鋳型キャビティの中に導入されたときに、インサートダイ１の端面１０の遠ざかっていく周囲部分１０ｂに連通する底部４の周辺の周囲領域に配置される。しかし、負圧開口部５は、成形型４の鋳型キャビティの底面４ａ及び側面４ｂの両方に有利に配置することができ、それによって底部ラベル２及び巻きラベル３の両方を、それらが成形型４の鋳型キャビティの中に置かれ、可塑化されたプラスティック材料でバックモールドされたときに正確な位置に保持し、負圧もまた、特にバックモールド中は維持することができる。ラベル２、３を成形型４の鋳型キャビティの壁に吸引する代わりに、ラベル２、３を静電的に壁に引き付ける（図示せず）ことも勿論、想到可能である。
【００３７】
最後に、図７は、底部ラベル２と巻きラベル３とが、周辺的に互いに重なって鋳型キャビティの中に置かれた後に、インサートダイ１が成形型４の鋳型キャビティから引き抜かれた状態を示す。ラベル２、３の配置は、図６の配置に対応し、ラベル２、３は特に負圧開口部５における所定の位置に連続的な負圧の適用によって保持される。図７にみられるように、成形型４とは対向する側で鋳型キャビティを画定する鋳型コア６（図７の上側参照）が、成形型の鋳型キャビティの中にここで導入される。鋳型コアは、（図示されない）射出成型機に接続された（いくつかの、図示されない）注入チャネル７を有し、この注入チャネルによって、可塑化されたプラスティック材料が鋳型キャビティの中に注入されて、底部ラベル２及び巻きラベル３をバックモールドすることによって、成形された部品を製造する。本願の例示の実施形態における場合と同様に、注入チャネル７は成形型４の鋳型キャビティの底部４ａの中央領域の中に開口し、それによって注入された溶融プラスティックの流路がすべての方向にほぼ同じ長さで設けられ、図７に従って矢印によって示されるように、溶融プラスティックは底部ラベル２の上及び巻きラベル３の内側への底部ラベル２が巻きラベル３に重なる領域に運ばれる。このように、可塑化されたプラスティック材料が、底部ラベル２が巻きラベル３に重なる領域間に浸透することを確実に防止するとともに、特に、溶融したプラスティックがラベル２、３の外側に漏れることを間違いなく、確実に防止し、それによって、ラベル２、３間の交差が見えなくて、さらにこのことによって生じる廃棄物の形成が回避される、ラベル２、３によって全ての面を覆われた、成形された部品を製造することができる。
【符号の説明】
【００３８】
１              インサートダイ
２              底部ラベル
２ａ            周辺領域
３              巻きラベル
３ａ            端部
４              射出成形型
４ａ            底部
４ｂ            側面
１０            端面
１０ａ          中央部分
１０ｂ          周囲部分
１０ｃ          外周縁
１１            側面
Ｌ              距離
Ｖ              軸方向オフセット
【図１】
0006576950.tif 000002
【図２】
0006576950.tif 000003
【図３】
0006576950.tif 000004
【図４】
0006576950.tif 000005
【図５】
0006576950.tif 000006
【図６】
0006576950.tif 000007
【図７】
0006576950.tif 000008